(57)【要約】      （修正有）【課題】旗の巻き付き、絡み付きを防止するために、軽量でスリムな交通誘導用小旗の柄を提供する。【解決手段】柄本体１０と一体で、柄本体よりも小径の中心軸１と、この中心軸の外周に回転可能に嵌められた軽量な回転筒２と、摩擦抵抗を軽減するために回転筒の両端で、同じく中心軸の外周に回転可能に嵌められた、それぞれ複数のリングを重ねたダブルリング３と、このダブルリングと回転筒の抜け落ちを止め、中心軸の先端にねじ込まれたキャップねじ４とを備える。以上の構造により、旗を取り付ける回転筒が自由に回ることと、この回転筒の外径を越えないキャップねじの、スリムで滑らかな半球形状トラス頭のトップにより、旗の巻き付き、絡み付きを防止する。【選択図】図１
0003177166.tif 000002
【実用新案登録請求の範囲】
【請求項１】
柄本体（１０）と、前記柄本体（１０）の上端に一体的に設けられた、この柄本体（１０）よりも小径の中心軸（１）と、前記中心軸（１）の外周に回転可能に嵌められた回転筒（２）と、前記回転筒（２）の上端側と下端側で前記中心軸（１）の外周に同じく回転可能に嵌められたダブルリング（３）と、前記回転筒（２）と前期ダブルリング（３）の抜け落ちを止め、前記中心軸（１）の上端にねじ込まれたキャップねじ（４）とを備え、旗を取り付ける柄の回転筒（２）の部分が自由に回るように構成されていると共に、その回転筒（２）の外径を超えないキャップねじ（４）の、滑らかな半球形状トラス頭のトップを有することを特徴とする交通誘導用小旗の柄。
【請求項２】
請求項１のキャップねじ（４）に替えて、中心軸（１）に回転可能に嵌められた回転筒（２）とダブルリング（３）の抜け落ちを止め、前記中心軸（１）の上端面に配置させた止めワッシャー（５）と、前記中心軸（１）の上端にねじ込まれたトラス頭の止めねじ（７）と、前記止めワッシャー（５）と前記止めねじ（７）の間に設けられて挟み付けられる下側のスプリングワッシャー（９）及びスペーサー（８）と、前記スペーサー（８）の外周に回転可能に嵌められた、前記止めねじ（７）のトラス頭と二段重ねで半球形状に形成されたキャップ（６）とをさらに備え、回転筒（２）の外径を超えない滑らかな半球形状をなすと共に、キャップ（６）が自由に回るように構成されていることを特徴とする交通誘導用小旗の柄のトップ。
【考案の詳細な説明】
【技術分野】
【０００１】  本考案は交通誘導の支障になる旗の巻き付き、絡み付きを防止して、敏速、的確でメリハリのある合図を行うための交誘導用小旗の柄に関するものである。
【背景技術】
【０００２】  従来より交通誘導用白の小旗は赤の小旗と協働して、進め、止まれ、徐行、幅寄せなどさまざまな角度の旗の振り方で駆使されており、単純に旗を振ると容易に柄に巻き付くので、誘導員は随時８の字を描くように旗を振って柄に巻き付かないように留意している。【０００３】  旗はたなびいたり逆風や風が止まった瞬間に柄の先端部にふわっとまとわりつき、そのまま巻き付くこともあり、そのような感触があると誘導員は旗のトップを下に下げて振りほどいてから合図を続行しているが、初心者は戸惑い誘導に遅れをとることもある。
【考案が解決しようとする課題】
【０００４】  風雨などによる巻き付き、絡み付きを防ぐこの案件の先行技術としては、旗の一辺を「袋状」また「筒状」にしてその中に柄を差し込み、自由に回る作用により巻き付き、絡み付きを防ぐ発想があり、交通誘導用大旗では「袋状」の考案（ＪＰＡ２００９ー４２６９４）が採用されている。大旗は旗の一辺の両端が袋状になっていてその中に柄が収まっており、誘導員はその中ほどを持つ構造になっているのに対して、交通誘導用小旗は普通の手旗と同じく柄の手元を持つ構造なので袋状だと抜け落ちる。
【０００５】  そこで旗ではなく、旗を取り付ける柄の部分が自由に回るようにする本考案の発想であるが、実用化には次のような難点がある。
〔１〕ベアリング、その他の素材に金属部分が多くなると軽量化できない。
〔２〕先端部がスリムでないと風雨等によりトップに旗の端が触れて絡み付く。
〔３〕垂直また斜め方向の荷重による摩擦抵抗で回転機能が低下して巻き付く。
本考案は実用化の目的でこのような難点を解決するために考案されたものである。
【０００６】  旗を取り付ける柄の部分を回転可能にする手段としては先ず、手元の柄本体にベアリングと中心軸を組み込み、この自由に回る中心軸に旗を取り付ける発想が有力ではあるが、中心軸の素材が重くなると共に手元の軸受けに荷重が集中するので、実用化のためには軽量化が求められる。
【０００７】そこで本考案では柄本体の上端に一体的に設けられた中心軸（１  以下符号）の外周に、回転可能に嵌められた回転筒（２）に旗を取り付けて、この軽量な回転筒が自由に回る作用により旗の巻き付きを防止する。回転筒（２）の上端側と下端側で同じく中心軸（１）に回転可能に嵌められた、それぞれ複数のリングを重ねたダブルリング（３）により、軸方向に荷重を受けたときの摩擦抵抗を軽減する。
【０００８】  スラストベアリングに替わる本考案のダブルリング（３）の発想により、持ち重りのしない軽量化と、回転筒（２）の外径を越えない先端部のスリム化が可能になり、中心軸（１）の上端にねじ込まれた、抜け落ちを止めるキャップねじ（４）の、滑らかな半球形状トラス頭のトップにより、巻き付きの要因になる先端部への旗のまとわりつき、絡み付きを最小限に防止する。
【０００９】  柄の中心軸（１）を水平にして回転筒（２）が自由に回る作用を確かめるには、手で回転筒（２）を３６０°（１回転）回して旗を巻き上げた後に手を放した時、旗の重みで回転筒（２）が回って旗が自然に下に垂れ下がれば良い。この作用は回転筒（２）が金属など重い素材だと旗の生地の自重との関係で微妙に低下する。
【考案の効果】
【００１０】  本考案には次のような効果が見込まれる。
〔１〕必ずしも８の字ではなくその時に応じて半円弧など的確な合図を連続して行える。
〔２〕誘導員が手を下に下げて巻き付いた旗を振りほどく時間のロスがなくなる。
〔３〕軽いので車線変更、幅寄せなどの合図を長時間続けても比較的疲れない。
〔４〕誘導棒の振り方に慣れていても赤白の小旗は不得手な初心者にも扱い安い。
【図面の簡単な説明】
【００１１】
【図１】本考案の斜視図と旗の取り付け位置を示す。
【図２】本考案の断面図である。
【図３】本考案のトップの改良型の拡大断面図である。
【考案を実施するための最良の形態】
【００１２】  以下本考案の図１，２，３により説明すると、旗は柄の回転筒（２）に取り付ける。中心軸（１）と一体の柄本体（１０）を手で持って円弧を描くように旗を振っても、中心軸（１）に回転可能に嵌められた回転筒（２）が自由に回るので旗は柄に巻き付かない。複数のリングを重ねたダブルリング（３）は平ワッシャーと違い互いの接点が小さく、雨の水滴をはじく効果もあり、軽量な回転筒（２）が軸方向に荷重を受けたときの摩擦抵抗を必要十分に軽減する。キャップねじ（４）は回転筒（２）とダブルリング（３）の抜け落ちを止めると共に、スリムで滑らかな半球形状トラス頭のトップは旗の端が触れても滑りやすく絡みにくい。【００１３】  図１，２のキャップねじ（４）に替えて、改良型図３のトップ（５，６，７）は止めワッシャー（５）によりダブルリング（３）と回転筒（２）の抜け落ちを止めると共に、止めねじ（７）のトラス頭とキャップ（６）は二段重ねで滑らかな半球形状のトップをなし、旗の端が触れても滑りやすく絡みにくい。必要により回転筒（２）の外径が市販の誘導棒のように大きくなると、その抜け落ちを止めるトップも大きくなり、小雨や夕立などで濡れた旗がトップに触れてまとわり付くリスクもやや高くなるが、スペーサー（８）の外周に回転可能に嵌められたキャップ（６）は雨に濡れた旗の端が触れてもフリーに回り、まとわり付くことなく絡み付きを最小限に防止する。回転筒（２）の外径を越えないこのスリムなトップ（５，６，７）は金属以外の素材の選択により、持ち重りのしないさらなる軽量化が可能である。
【実施例】
【００１４】  回転筒の口径が小さくなると強度との関係が生じるが、以下本考案の為の手加工試作品の実施例を説明すると、合成樹脂の素材を試用して、回転筒（２）は外径が１４ｍｍΦ、肉厚０．７ｍｍ、中心軸（１）は外径が１１．５ｍｍΦに設定したところ、回転筒の作用は巻き付きを防いで自由に回り、中心軸は強度的にも十分である。それぞれ２個のステンレスリングを重ねたダブルリング（３）の外径は１４ｍｍΦ、キャップねじ（４）は同じく外径１４ｍｍΦの市販のトラスねじをそのまま採用したが、絡み付き、まとわり付き防止に良く作用する。柄本体（１０）は１４ｍｍΦ以上の外径で抜け落ちを止め、手で持ちやすい太さにして、誘導中のお手玉を避けるために手首に掛ける紐をテープで固定した。旗の上端は安易に紐や粘着テープで固定すると旗の端が容易にまとわりつくことがあり、縫製の手法により旗の一辺を底なしの袋状にして回転筒（２）に嵌め込む形で固定する。【００１５】  実際の交通誘導による本考案のテストは前述の試作品により、さまざまな角度の旗の振り方を風雨などの悪条件下で実施したが、実用化を目的とする本考案の機能が発揮され、従来のように旗が容易に柄に巻き付くことはない。幅寄せ、車線変更の合図を長時間行う場合などに８の字の振り方も実施したが、ビル風や逆風の時など旗が瞬間的に風の方向にたなびくので、本考案の柄の方が従来の丸棒の柄よりもむしろ扱い安い。本考案は８の字など交通誘導の優れた業との併用を否定するものではない。
【符号の説明】
【００１６】１  中心軸
２  回転筒
３  ダブルリング
４  キャップねじ
５  止めワッシャー
６  キャップ
７  止めねじ
８  スペーサー
９  スプリングワッシャー
１０  柄本体
【図１】
0003177166.tif 000003
【図２】
0003177166.tif 000004
【図３】
0003177166.tif 000005
【手続補正書】
【提出日】平成24年2月28日(2012.2.28)
【手続補正１】
【補正対象書類名】明細書
【補正対象項目名】全文
【補正方法】変更
【補正の内容】
【考案の詳細な説明】
【技術分野】
【０００１】  本考案は交通誘導の支障になる旗の巻き付き、絡み付きを防止して、敏速、的確でメリハリのある合図を行うための交通誘導用小旗の柄に関するものである。
【背景技術】
【０００２】  従来より交通誘導用白の小旗は赤の小旗と協働して、進め、止まれ、徐行、幅寄せなどさまざまな角度の旗の振り方で駆使されており、単純に旗を振ると容易に柄に巻き付くので、誘導員は随時８の字を描くように旗を振って柄に巻き付かないように留意している。【０００３】  旗はたなびいたり逆風や風が止まった瞬間に柄の先端部にふわっとまとわりつき、そのまま巻き付くこともあり、そのような感触があると誘導員は旗のトップを下に下げて振りほどいてから合図を続行しているが、初心者は戸惑い誘導に遅れをとることもある。
【考案が解決しようとする課題】
【０００４】  風雨などによる巻き付き、絡み付きを防ぐこの案件の先行技術としては、旗の一辺を「袋状」また「筒状」にしてその中に柄を差し込み、自由に回る作用により巻き付き、絡み付きを防ぐ発想があり、交通誘導用大旗では「袋状」の考案（ＪＰＡ２００９−４２６９４）が採用されている。大旗は旗の一辺の両端が袋状になっていてその中に柄が収まっており、誘導員はその中ほどを持つ構造になっているのに対して、交通誘導用小旗は普通の手旗と同じく柄の手元を持つ構造なので袋状だと抜け落ちる。
【０００５】  そこで旗ではなく、旗を取り付ける柄の部分が自由に回るようにする本考案の発想であるが、実用化には次のような難点がある。
〔１〕ベアリング、その他の素材に金属部分が多くなると軽量化できない。
〔２〕先端部がスリムでないと風雨等によりトップに旗の端が触れて絡み付く。
〔３〕垂直また斜め方向の荷重による摩擦抵抗で回転機能が低下して巻き付く。
本考案は実用化の目的でこのような難点を解決するために考案されたものである。
【０００６】  旗を取り付ける柄の部分を回転可能にする手段としては先ず、手元の柄本体にベアリングと中心軸を組み込み、この自由に回る中心軸に旗を取り付ける発想が有力ではあるが、中心軸の素材が重くなると共に手元の軸受けに荷重が集中するので、実用化のためには軽量化が求められる。
【０００７】  そこで本考案では柄本体の上端に一体的に設けられた中心軸（１  以下符号）の外周に、回転可能に嵌められた回転筒（２）に旗を取り付けて、この軽量な回転筒が自由に回る作用により旗の巻き付きを防止する。回転筒の上端側と下端側で同じく中心軸（１）に回転可能に嵌められた、それぞれ複数のリングを重ねたダブルリング（３）により、軸方向に荷重を受けたときの摩擦抵抗を軽減する。
【０００８】  スラストベアリングに替わる本考案のダブルリング（３）の発想により、持ち重りのしない軽量化と、回転筒（２）の外径を越えない先端部のスリム化が可能になり、中心軸（１）の上端にねじ込まれた、抜け落ちを止めるキャップねじ（４）の、滑らかな半球形状トラス頭のトップにより、巻き付きの要因になる先端部への旗のまとわりつき、絡み付きを最小限に防止する。
【０００９】  柄の中心軸（１）を水平にして回転筒（２）が自由に回る作用を確かめるには、手で回転筒（２）を３６０°（１回転）回して旗を巻き上げた後に手を放した時、旗の重みで回転筒（２）が回って旗が自然に下に垂れ下がれば良い。この作用は回転筒（２）が金属など重い素材だと旗の生地の自重との関係で微妙に低下する。
【考案の効果】
【００１０】  本考案には次のような効果が見込まれる。
〔１〕必ずしも８の字ではなくその時に応じて半円弧など的確な合図を連続して行える。
〔２〕誘導員が手を下に下げて巻き付いた旗を振りほどく時間のロスがなくなる。
〔３〕軽いので車線変更、幅寄せなどの合図を長時間続けても比較的疲れない。
〔４〕誘導棒の振り方に慣れていても赤白の小旗は不得手な初心者にも扱い安い。
【図面の簡単な説明】
【００１１】
【図１】本考案の斜視図と旗の取り付け位置を示す。
【図２】本考案の断面図である。
【図３】本考案のトップの改良型の拡大断面図である。
【考案を実施するための最良の形態】
【００１２】  以下本考案の図１，２，３により説明すると、旗は柄の回転筒（２）に取り付ける。中心軸（１）と一体の柄本体（１０）を手で持って円弧を描くように旗を振っても、中心軸（１）に回転可能に嵌められた回転筒（２）が自由に回るので旗は柄に巻き付かない。複数のリングを重ねたダブルリング（３）は平ワッシャーと違い互いの接点が小さく、雨の水滴をはじく効果もあり、軽量な回転筒（２）が軸方向に荷重を受けたときの摩擦抵抗を必要十分に軽減する。キャップねじ（４）は回転筒（２）とダブルリング（３）の抜け落ちを止めると共に、スリムで滑らかな半球形状トラス頭のトップは旗の端が触れても滑りやすく絡みにくい。【００１３】  図１，２のキャップねじ（４）に替えて、改良型図３のトップ（５，６，７）は止めワッシャー（５）によりダブルリング（３）と回転筒（２）の抜け落ちを止めると共に、止めねじ（７）のトラス頭とキャップ（６）は二段重ねで滑らかな半球形状のトップをなし、旗の端が触れても滑りやすく絡みにくい。必要により回転筒（２）の外径が市販の誘導棒のように大きくなると、その抜け落ちを止めるトップも大きくなり、小雨や夕立などで濡れた旗がトップに触れてまとわり付くリスクもやや高くなるが、スペーサー（８）の外周に回転可能に嵌められたキャップ（６）は雨に濡れた旗の端が触れてもフリーに回り、まとわり付くことなく絡み付きを最小限に防止する。回転筒（２）の外径を越えないこのスリムなトップ（５，６，７）は金属以外の素材の選択により、持ち重りのしないさらなる軽量化が可能である。
【実施例】
【００１４】  回転筒の口径が小さくなると強度との関係が生じるが、以下本考案の為の手加工試作品の実施例を説明すると、合成樹脂の素材を試用して、回転筒（２）は外径が１４ｍｍΦ、肉厚０．７ｍｍ、中心軸（１）は外径が１１．５ｍｍΦに設定したところ、回転筒の作用は巻き付きを防いで自由に回り、中心軸は強度的にも十分である。それぞれ２個のステンレスリングを重ねたダブルリング（３）の外径は１４ｍｍΦ、キャップねじ（４）は同じく外径１４ｍｍΦの市販のトラスねじをそのまま採用したが、絡み付き、まとわり付き防止に良く作用する。柄本体（１０）は１４ｍｍΦを越える外径で抜け落ちを止め、手で持ちやすい太さにして、誘導中のお手玉を避けるために手首に掛ける紐をテープで固定した。旗の上端は安易に紐や粘着テープで固定すると旗の端が容易にまとわりつくことがあり、縫製の手法により旗の一辺を底なしの袋状にして回転筒（２）に嵌め込む形で固定する。【００１５】  実際の交通誘導による本考案のテストは前述の試作品により、さまざまな角度の旗の振り方を風雨などの悪条件下で実施したが、実用化を目的とする本考案の機能が発揮され、従来のように旗が容易に柄に巻き付くことはない。幅寄せ、車線変更の合図を長時間行う場合などに８の字の振り方も実施したが、ビル風や逆風の時など旗が瞬間的に風の方向にたなびくので、本考案の柄の方が従来の丸棒の柄よりもむしろ扱い安い。本考案は８の字など交通誘導の優れた業との併用を否定するものではない。
【符号の説明】
【００１６】    １  中心軸
２  回転筒
３  ダブルリング
４  キャップねじ
５  止めワッシャー
６  キャップ
７  止めねじ
８  スペーサー
９  スプリングワッシャー
１０  柄本体
【手続補正書】
【提出日】平成24年4月26日(2012.4.26)
【手続補正１】
【補正対象書類名】実用新案登録請求の範囲
【補正対象項目名】全文
【補正方法】変更
【補正の内容】
【実用新案登録請求の範囲】
【請求項１】
柄本体（１０）と、前記柄本体（１０）の上端に一体的に設けられた、この柄本体（１０）よりも小径の中心軸（１）と、前記中心軸（１）の外周に回転可能に嵌められた回転筒（２）と、前記回転筒（２）の上端側と下端側で前記中心軸（１）の外周に同じく回転可能に嵌められたダブルリング（３）と、前記ダブルリング（３）と前記回転筒（２）の抜け落ちを止め、前記中心軸（１）の上端にねじ込まれた、前記回転筒（２）の外径を越えない滑らかなトラス頭のキャップねじ（４）とを備え、旗を取り付ける柄の回転筒（２）の部分が自由に回るように構成されている交通誘導用小旗の柄。
【請求項２】
柄本体（１０）の上端に一体的に設けられた中心軸（１）と、前記中心軸（１）の外周に回転可能に嵌められた回転筒（２）と、前記回転筒（２）の上端側と下端側で前記中心軸（１）の外周に同じく回転可能に嵌められたダブルリング（３）と、前記ダブルリング（３）と前記回転筒（２）の抜け落ちを止め、前記中心軸（１）の上端面に配置させた、前記回転筒（２）の外径を越えない止めワッシャー（５）と、前記中心軸（１）の上端にねじ込まれたトラス頭の止めねじ（７）と、前記止めワッシャー（５）と前記止めねじ（７）の間に設けられて挟み付けられる下側のスプリングワッシャー（９）及びスペーサー（８）と、前記スペーサー（８）の外周に回転可能に嵌められた、前記止めねじ（７）のトラス頭と二段重ねで半球形状に形成されたキャップ（６）とをさらに備え、キャップ（６）が自由に回るように構成されていることを特徴とする請求項１記載の交通誘導用小旗の柄。